(57)【特許請求の範囲】
【請求項１】
筐体の内部に配置された熱交換器と、前記熱交換器により熱交換された温風を前記筐体の外部へ送出する送風ファンとを含むファンコンベクタであって、
前記筐体は、前記筐体の内部と外部とを繋ぐ室温検知用開口を有し、
前記筐体の内部に配置され、かつ前記室温検知用開口に向かい合うように配置された温度検知部と、
前記筐体の内部において前記熱交換器に接続され、かつ温水を前記筐体の外部から前記熱交換器に循環させる温水配管と、
前記温度検知部と前記温水配管との間に配置された遮熱壁と、
前記遮熱壁の上端に接続され、かつ前記温度検知部の真上に配置された開口を有する天板と、
前記筐体の内部に配置され、かつ前記温度検知部に電気的に接続された制御部とを備え、
前記制御部、前記温度検知部および前記遮熱壁は、前記熱交換器の一方側に配置されている、ファンコンベクタ。
【請求項２】
前記筐体は、前面部を含み、
前記前面部は、前記室温検知用開口と、前記送風ファンに前記筐体の外部から空気を供給する前面給気口とを有し、
前記前面給気口は、前記温度検知部よりも上方に配置されている、請求項１に記載のファンコンベクタ。
【請求項３】
前記温度検知部は、前記熱交換器よりも下方に配置されている、請求項１または２に記載のファンコンベクタ。
【発明の詳細な説明】
【技術分野】
【０００１】
本発明は、ファンコンベクタに関するものである。
【背景技術】
【０００２】
ファンコンベクタは、たとえば、特開平１０−２６７３３０号公報（特許文献１）に記載されているように、筐体と、筐体の内部に配置された熱交換器と、熱交換器により熱交換された温風を筐体の外部へ送出する送風ファンとを有している。上記公報に記載されたファンコンベクタにおいては、熱交換器は温水流入口と温水流出口との間に内部配管（温水配管）により接続されている。また、筐体内に室温を検知するための温度検出器（温度検知部）が設置されている。
【先行技術文献】
【特許文献】
【０００３】
【特許文献１】特開平１０−２６７３３０号公報
【発明の概要】
【発明が解決しようとする課題】
【０００４】
上記公報に記載されたファンコンベクタでは、温度検出器は、温水が流通する内部配管の近傍に配置されている。このため、温度検出器は室温を検知する際に内部配管からの熱の影響を受ける。つまり、温度検出器は、内部配管からの熱のため室温より高い温度を検出する。したがって、温度検出器により室温を精度良く検知することは困難である。
【０００５】
本発明は、上記課題に鑑みてなされたものであり、その目的は、温度検知部により室温を精度良く検知することができるファンコンベクタを提供することである。
【課題を解決するための手段】
【０００６】
本発明のファンコンベクタは、筐体の内部に配置された熱交換器と、熱交換器により熱交換された温風を筐体の外部へ送出する送風ファンとを含むものである。筐体は、筐体の内部と外部とを繋ぐ室温検知用開口を有している。ファンコンベクタは、温度検知部と、温水配管と、遮熱壁と、天板とを備えている。温度検知部は、筐体の内部に配置され、かつ室温検知用開口に向かい合うように配置されている。温水配管は、筐体の内部において熱交換器に接続され、かつ温水を筐体の外部から熱交換器に循環させる。遮熱壁は、温度検知部と温水配管との間に配置されている。天板は、遮熱壁の上端に接続され、かつ温度検知部の真上に配置された開口を有する。
【０００７】
本発明のファンコンベクタによれば、遮熱壁が温度検知部と温水配管との間に配置されているため、遮熱壁によって温水配管を流れる温水の熱が温度検知部に伝わることを抑制できる。さらに、天板は温度検知部の真上に配置された開口を有するため、温度検知部の周囲の空気が温められると、温められた空気が開口を通って上昇する。これにより、温度検知部の周囲に熱が篭らないようにすることができる。よって、温度検知部により室温を精度良く検知することができる。
【０００８】
上記のファンコンベクタは、筐体の内部に配置され、かつ温度検知部に電気的に接続された制御部をさらに備えている。制御部、温度検知部および遮熱壁は、熱交換器の一方側に配置されている。このため、制御部、温度検知部および遮熱壁を熱交換器の一方側に集めることができる。したがって、熱交換器の他方側には制御部、温度検知部および遮熱壁を配置する領域が不要となる。これにより、制御部、温度検知部および遮熱壁が熱交換器の一方側および他方側の両方に配置される場合に比べて、ファンコンベクタの大きさを小型化することができる。
【０００９】
上記のファンコンベクタにおいて、筐体は、前面部を含んでいる。前面部は、室温検知用開口と、送風ファンに筐体の外部から空気を供給する前面給気口とを有している。前面給気口は、温度検知部よりも上方に配置されている。このため、温度検知部の周囲の温められた空気が前面給気口側に上昇する。したがって、この空気を前面給気口から吸い込まれた空気とスムーズに合流させることができる。よって、空気をスムーズに送風ファンに送ることができる。
【００１０】
上記のファンコンベクタにおいて、温度検知部は、熱交換器よりも下方に配置されている。これにより、熱交換器を流れる温水により温められた空気は上昇するため、熱交換を流れる温水の熱を温度検知部に伝わり難くすることができる。よって、温度検知部が熱交換器を流れる温水の熱によって影響を受けることを抑制することができる。
【発明の効果】
【００１１】
以上説明したように、本発明によれば、温度検知部により室温を精度良く検知できるファンコンベクタを提供することができる。
【図面の簡単な説明】
【００１２】
【図１】本発明の一実施の形態におけるファンコンベクタの構成を概略的に示す斜視図である。
【図２】図１のＩＩ−ＩＩ線に沿う断面図である。
【図３】図１のＰ部を拡大して示す拡大図である。
【図４】図１のＰ部の筐体の内部の構造を拡大して示す拡大図である。
【発明を実施するための形態】
【００１３】
以下、本発明の実施の形態について図に基づいて説明する。
まず、本発明の一実施の形態におけるファンコンベクタの構成について説明する。ファンコンベクタは温水を熱源とする暖房装置である。以下では各方向はファンコンベクタを床面に設置した状態を基準としている。なお、本実施の形態のファンコンベクタは、壁に固定されるものであってもよく、また壁に固定されずに移動可能なものであってもよい。
【００１４】
図１および図２を参照して、本実施の形態のファンコンベクタ１０は、筐体１と、熱交換器２と、送風ファン３と、モータ３ａと、制御部４と、温水配管５と、風向板６と、温度検知部７と、遮熱壁８と、天板９とを主に有している。筐体１の内部に、熱交換器２と、送風ファン３と、制御部４と、温水配管５と、風向板６と、温度検知部７と、遮熱壁８と、天板９とが配置されている。
【００１５】
筐体１は、前面部１１と、上面部１２と、側面部１３と、背面部１４と、底面部１５とを有している。筐体１は、前面部１１と、上面部１２と、側面部１３と、背面部１４と、底面部１５とによって取り囲まれた内部空間を有している。
【００１６】
前面部１１は筐体１の正面に配置されている。前面部１１は前面給気口１１ａを有している。前面給気口１１ａは送風ファン３に筐体１の外部から空気を供給するように構成されている。前面給気口１１ａは前面部１１の上下方向の中央よりも下方に配置されている。前面給気口１１ａは前面部１１を前後方向に貫通している。前面給気口１１ａは前面部１１の左右方向の略全長に渡って設けられている。本実施の形態では、前面給気口１１ａはガラリ（ルーバ）の貫通孔である。また、前面部１１に吹出口１１ｂが設けられている。吹出口１１ｂは前面給気口１１ａの下方に配置されている。また、前面部１１は、複数の羽板１１ｃを有している。羽板１１ｃは前面給気口１１ａに沿って左右方向に延在するように形成されている。前面給気口１１ａおよび複数の羽板１１ｃは、ガラリを構成している。
【００１７】
上面部１２は、前面部１１の上方側に配置されている。上面部１２は、前面部１１の上端に接続されている。上面部１２に上面給気口１２ａが設けられている。上面給気口１２ａは上面部１２の前後方向の中央よりも前方に配置されている。上面給気口１２ａは前面部１１の近傍に配置されている。上面給気口１２ａは上面部１２を上下方向に貫通している。上面給気口１２ａは上面部１２の左右方向の略全長に渡って設けられている。
【００１８】
側面部１３は、前面部１１の側方側に配置されている。側面部１３は互いに対向する第１の側面部１３ｆと第２の側面部１３ｓとを有している。第１の側面部１３ｆおよび第２の側面部１３ｓの各々は、前面部１１、上面部１２、背面部１４および底面部１５にそれぞれ接続されている。側面部１３に側面給気口１３ａが設けられている。側面給気口１３ａは、第１の側面部１３ｆおよび第２の側面部１３ｓにそれぞれ設けられている。側面給気口１３ａは側面部１３の前後方向の中央よりも前方に配置されている。側面給気口１３ａは、前面部１１の近傍に配置されている。側面給気口１３ａは、側面部１３を左右方向に貫通している。側面給気口１３ａは、側面部１３の上端近傍から前面給気口１１ａの下端に渡って設けられている。
【００１９】
背面部１４は筐体１の背面に配置されている。背面部１４は前面部１１に対向するように配置されている。底面部１５は前面部１１の下方側に配置されている。底面部１５は前面部１１の下端に接続されている。
【００２０】
筐体１は、筐体１の内部と外部とを繋ぐ室温検知用開口１ａを有している。本実施の形態では、室温検知用開口１ａは前面部１１に設けられている。室温検知用開口１ａは前面部１１を前後方向に貫通している。室温検知用開口１ａは前面給気口１１ａの下方に配置されている。室温検知用開口１ａは吹出口１１ｂの横に配置されている。具体的には室温検知用開口１ａは左右方向において吹出口１１ｂと第１の側面部１３ｆとの間に配置されている。本実施の形態では室温検知用開口１ａはガラリ（ルーバ）の貫通孔である。なお、室温検知用開口１ａの位置は前面部１１に限定されず、室温検知用開口１ａは、上面部１２、側面部１３、背面部１４および底面部１５のいずれかに形成されていてもよい。
【００２１】
熱交換器２は筐体１の内部に配置されている。熱交換器２は、熱交換器２の内部を循環する湯水と、熱交換器２の周囲の空気との間で熱交換を行うためのものである。熱交換器２は前面給気口１１ａと向かい合う部分を有している。熱交換器２は送風ファン３の前方に配置されている。
【００２２】
送風ファン３は、熱交換器２により熱交換された温風を筐体１の外部へ送出するよう構成されている。送風ファン３は、たとえばクロスフローファンである。送風ファン３にはモータ３ａが接続されている。送風ファン３はモータ３ａの駆動力によって回転することにより送風可能に構成されている。送風ファン３は、熱交換器２を挟んで前面給気口１１ａと向かい合うように配置されている。送風ファン３は吹出口１１ｂの上方に配置されている。
【００２３】
制御部４は筐体１の内部に配置されている。本実施の形態では、制御部４は、左右方向において熱交換器２と第１の側面部１３ｆとの間に配置されている。
【００２４】
制御部４は、ファンコンベクタ１０を制御するマイコン（図示せず）を備えた制御基板を有しており、ファンコンベクタ１０の各部の動作を制御可能に構成されている。制御部４は温度検知部７に電気的に接続されている。具体的には、制御部４は、ファンコンベクタ１０の温度検知部７などからの信号を取得可能であり、ファンコンベクタ１０が設置されている室内の温度などを取得可能に構成されている。そして、制御部４は、取得した情報に基づいてファンコンベクタ１０の各部を制御可能に構成されている。
【００２５】
温水配管５は、筐体１の内部において熱交換器２に接続されている。本実施の形態では、温水配管５は、左右方向において熱交換器２と第１の側面部１３ｆとの間に配置されている。温水配管５は温水を筐体１の外部から熱交換器２に循環させるように構成されている。温水配管５は室温検知用開口１ａから温度検知部７よりも離れた位置に配置されている。
【００２６】
温水配管５は筐体１の底面部１５に設置されている。温水配管５は底面部１５から図示しない熱源機に接続される。温水配管５は図示しない熱源機から供給された温水を熱交換器２に流し、熱交換器２で熱交換された温水を熱源機に流すように構成されている。具体的には、温水配管５は、第１の温水配管５ａと、第２の温水配管５ｂとを有している。第１の温水配管５ａは図示しない熱源機から供給された温水を熱交換器２に流すように構成されており、第２の温水配管５ｂは熱交換器２から温水を熱源機に流すように構成されている。
【００２７】
風向板６は吹出口１１ｂから吹出される風の向きを変えるためのものである。風向板６は送風ファン３と吹出口１１ｂとの間に配置されている。風向板６は吹出口１１ｂから露出している。
【００２８】
図２および図３を参照して、温度検知部７は筐体１の内部に配置されている。温度検知部７は、ファンコンベクタ１０が設置された室内の温度を測定するためのものである。温度検知部７は室温検知用開口１ａに向かい合うように配置されている。温度検知部７は室温検知用開口１ａの近傍に配置されている。温度検知部７は、室温検知用開口１ａから室内の空気を取り込んで温度を測定することにより室内の温度を測定する。
【００２９】
温度検知部７は前面給気口１１ａの下方に配置されている。つまり、前面給気口１１ａは、温度検知部７よりも上方に配置されている。温度検知部７は吹出口１１ｂの横に配置されている。具体的には温度検知部７は左右方向において吹出口１１ｂと第１の側面部１３ｆとの間に配置されている。温度検知部７はたとえばサーミスタである。
【００３０】
図２および図４を参照して、遮熱壁８は温水配管５を流れる温水の熱が温度検知部７に伝わることを抑制するためのものである。遮熱壁８は温水配管５を流れる温水の熱を遮熱することが可能に構成されている。遮熱壁８は温度検知部７と温水配管５との間に配置されている。つまり、遮熱壁８は、温度検知部７と温水配管５とをつなぐ直線上に配置されている。本実施の形態では、遮熱壁８は左右方向において熱交換器２と第１の側面部１３ｆとの間に配置されている。
【００３１】
本実施の形態では、制御部４、温度検知部７および遮熱壁８は、熱交換器２の一方側に配置されている。具体的には、制御部４、温度検知部７および遮熱壁８は、左右方向において熱交換器２と第１の側面部１３ｆとの間に配置されている。
【００３２】
遮熱壁８は、温度検知部７と、第１の温水配管５ａおよび第２の温水配管５ｂの少なくともいずれかとの間に配置されている。遮熱壁８は、温度検知部７と第１の温水配管５ａおよび第２の温水配管５ｂの両方との間に配置されていることが好ましい。
【００３３】
遮熱壁８は熱伝導率の低い材料で構成されていることが好ましい。遮熱壁８はたとえばＡＢＳ（Acrylonitrile Butadiene Styrene）樹脂で形成されている。遮熱壁８の厚みはたとえば２ｍｍ以上３ｍｍ以下である。また、遮熱壁８に断熱材が取り付けられていてもよい。この断熱材にはたとえば発泡体を用いることができる。
【００３４】
天板９には熱交換器２が載置されている。天板９は、遮熱壁８の上端に接続されている。天板９は温度検知部７の真上に配置された開口ＯＰを有している。温度検知部７は、天板９の上方から見て開口ＯＰから露出している。本実施の形態では、開口ＯＰは、前方に向かって開放された切欠きを有している。開口ＯＰの形状はこれに限定されず、開口ＯＰは天板９を上下方向に貫通する貫通孔であってもよい。本実施の形態では、開口ＯＰの左右方向の幅の寸法は、室温検知用開口１ａの左右方向の幅の寸法よりも大きい。また、開口ＯＰの前後方向の奥行の寸法は、温度検知部７の前後方向の奥行の寸法よりも大きい。
【００３５】
天板９は支持部９ａを有している。支持部９ａは、開口ＯＰの縁の一部に接続されている。支持部９ａは天板９の上面から下方に延在している。支持部９ａに前方側に温度検知部７が取り付けられている。温度検知部７は上下方向に延在するように配置されている。
【００３６】
温度検知部７は、熱交換器２よりも下方に配置されている。天板９は遮熱壁８と一体的に形成されていてもよい。この場合、遮熱壁８および天板９はたとえばＡＢＳ樹脂で一体的に形成されていてもよい。
【００３７】
次に、本実施の形態のファンコンベクタの動作について説明する。
再び図１を参照して、本実施の形態のファンコンベクタ１０は設置された室内の温度を昇温および維持するための暖房運転を行うことができる。具体的には、図示しない熱源機から第１の温水配管５ａに温水が供給される。第１の温水配管５ａに供給された温水は第１の温水配管５ａを通って熱交換器２に流れる。なお、熱交換器２で熱交換された温水は第２の温水配管５ｂを通って図示しない熱源機に送られる。
【００３８】
モータ３ａの駆動力によって送風ファン３が回転する。これにより、前面給気口１１ａから空気が筐体１の内部に吸い込まれる。また、上面給気口１２ａおよび側面給気口１３ａからも空気が筐体１の内部に吸い込まれる。これらの筐体１の内部に吸い込まれた空気は熱交換器２の周囲に流れる。そして、熱交換器２の内部を循環する湯水と、熱交換器２の周囲の空気との間で熱交換が行われる。これにより、熱交換器２の周囲の空気は温められる。この温められた空気が送風されることにより温風が生じる。
【００３９】
この温風は、送風ファン３を経由して筐体１の内部の流路を通って吹出口１１ｂに送られる。そして、この温風は、吹出口１１ｂから室内に吹出される。制御部４は、温度検知部７が室内の温度を検知した信号に基づいて、熱交換器２を流れる温水の温度および送風ファン３の回転数を制御することにより、温風の温度を制御することができる。このため、本実施の形態のファンコンベクタ１０では室内の温度を所定の温度に昇温および維持することができる。このようにして、本実施の形態のファンコンベクタ１０では、暖房運転が行われる。
【００４０】
次に、本実施の形態のファンコンベクタの作用効果について説明する。
図４に示すように、本実施の形態のファンコンベクタ１０によれば、遮熱壁８が温度検知部７と温水配管５との間に配置されているため、遮熱壁８によって温水配管５を流れる温水の熱が温度検知部７に伝わることを抑制できる。さらに、天板９は温度検知部７の真上に配置された開口ＯＰを有するため、温度検知部７の周囲の空気が温められると、温められた空気が開口ＯＰを通って図４中矢印Ａ１で示すように上昇する。これにより、温度検知部７の周囲に熱が篭らないようにすることができる。よって、温度検知部７により室温を精度良く検知することができる。
【００４１】
また、温度検知部７は筐体１の内部に配置されているため、ファンコンベクタ１０の運搬時などに温度検知部７が人などに接触することによって温度検知部７が破損することを抑制できる。
【００４２】
図２に示すように、本実施の形態のファンコンベクタ１０においては、制御部４、温度検知部７および遮熱壁８は、熱交換器２の一方側に配置されている。このため、制御部４、温度検知部７および遮熱壁８を熱交換器２の一方側に集めることができる。したがって、熱交換器２の他方側には制御部４、温度検知部７および遮熱壁８を配置する領域が不要となる。これにより、制御部４、温度検知部７および遮熱壁８が熱交換器２の一方側および他方側の両方に配置される場合に比べて、ファンコンベクタ１０の大きさを小型化することができる。
【００４３】
図３に示すように、本実施の形態のファンコンベクタ１０においては、前面給気口１１ａは、温度検知部７よりも上方に配置されている。このため、温度検知部７の周囲の温められた空気が前面給気口１１ａ側に上昇する。したがって、この空気を前面給気口１１ａから吸い込まれた空気とスムーズに合流させることができる。よって、空気をスムーズに送風ファンに送ることができる。
【００４４】
図４に示すように、本実施の形態のファンコンベクタ１０においては、温度検知部７は、熱交換器２よりも下方に配置されている。これにより、熱交換器２を流れる温水により温められた空気は上昇するため、熱交換器２を流れる温水の熱を温度検知部７に伝わり難くすることができる。よって、温度検知部７が熱交換器２を流れる温水の熱によって影響を受けることを抑制することができる。
【００４５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００４６】
１  筐体、１ａ  室温検知用開口、２  熱交換器、３  送風ファン、３ａ  モータ、４  制御部、５  温水配管、５ａ  第１の温水配管、５ｂ  第２の温水配管、６  風向板、７  温度検知部、８  遮熱壁、９  天板、９ａ  支持部、１０  ファンコンベクタ、１１  前面部、１１ａ  前面給気口、１１ｂ  吹出口、１１ｃ  羽板、１２  上面部、１２ａ  上面給気口、１３  側面部、１３ａ  側面給気口、１３ｆ  第１の側面部、１３ｓ  第２の側面部、１４  背面部、１５  底面部、ＯＰ  開口。
【図１】
0006492563.tif 000002
【図２】
0006492563.tif 000003
【図３】
0006492563.tif 000004
【図４】
0006492563.tif 000005